Podtech/llm-jp-corpus-v4-ja_patent huggingface dataset:
(57)【要約】  【課題】  耕耘時の打ち込み抵抗が少なく、振動抑制および、残耕の削減を図る効率のよい耕耘をすることで耐磨耗性を向上させた耕耘爪を提供する【解決手段】  基点Ｐ（１１）を中心に回転するホルダー（２）に耕耘爪Ａ（１）を取り付け、直爪部（６）に作業回転径（４）上限まで突起（７）を形成し、直爪部（６）の突起（７）から地面（５）に対し垂直に打ち込むことで打ち込み抵抗を軽減させ、直爪部（６）土中に入った後に先端屈曲部（８）で打ち込むため振動を抑制し、切り込みの入った地面（５）を先端屈曲部（８）で耕耘することにより残耕を削減し、突起（７）を形成したことで表面積が増え耕耘爪Ａ（１）自体に掛る負荷が分散され耐磨耗性が向上した。【選択図】図１
2009106207.tif 000002
【特許請求の範囲】
【請求項１】
耕耘爪の直爪部に突起形状を有し、耕耘作業の打ち込み抵抗が軽減し振動抑制をさせ、且つ残耕の削減を図り効率のよい耕耘をおこなうことで爪本体の耐摩耗性を向上させた耕耘爪
【発明の詳細な説明】
【技術分野】
【０００１】
本発明は、農作業の耕耘に使用される耕耘爪に関する。
【背景技術】
【０００２】
農作物を栽培する過程の下準備で耕耘（地面を耕し柔らかく）しての農作物が生育しやすい状態にして植付けや、畝立て作業をおこなう。一般的にトラクター等作業機のローターと呼ばれる部分のホルダーに耕耘爪をボルト等で固定し、回転するローター部分が土中を通過することで耕耘することができる。
【０００３】
耕耘爪の形状はローターの軸方向から見て、垂直方向に伸びた直線部分（直爪部）のローター軸に近いところに取り付け穴が有り、取り付け部分から中央部にかけては円弧を描く形状になっており、円弧の部分から先端にかけては地面を削り取れるように手前、もしくは反対方向に屈曲している。
【０００４】
耕耘爪の直線部分（直爪部）、爪の先端にかけての屈曲部の後側に複数の切り欠きを設け、打ち込み抵抗が少なく反転効果のある耕耘爪が紹介されている（文献1参照）
【０００５】
【特許文献１】特公昭３９−１０２０５
【発明の開示】
【発明が解決しようとする課題】
【０００６】
長期にわたる耕耘作業を行なえば、土との摩擦によって耕耘爪は磨耗してゆき、磨耗がある程度進めば耕耘機能が低下するため、交換が必要となる。
【０００７】
交換寿命が短い事はコスト負担が増える事であるため、交換寿命を長くする事が課題であった。
【０００８】
また耕耘作業では耕耘爪が土中に入り込む時に抵抗を受けるために、振動が発生する。
【０００９】
この振動は作業機を通して作業者に伝わり、不快感をあたえるほか、作業機自体の寿命を短くする事となるため、振動を低減する事が課題であった。
【００１０】
さらに従来技術の耕耘爪による耕耘作業では、先端部の屈曲形状に従って土が削り取られる事によりローターの作業回転系よりも内側に削り取られていない部分（残耕）が残る事となる。
【００１１】
この残耕をより少なくする事は、より多くの土を耕す事であるため、農作物を栽培の条件をより良くする事につながる。
【００１２】
本発明は、耕耘する際の打ち込み抵抗の軽減、振動抑制をさせ且つ残耕（耕した後に残る未耕部分）の削減、高効率の耕耘作業により、耕耘爪自体の耐磨耗性を向上させる耕耘爪を提供しようとするものである。
【課題を解決するための手段】
【００１３】
請求項１の手段とするところは、耕耘爪の直爪部に突起を形成したところにある。
【発明の効果】
【００１４】
本発明は、直爪部に設けられた突起形状部分が先行して土中に入る事によって耕耘作業時の打ち込み抵抗が軽減され、振動抑制につながり残耕の削減を図る高効率の耕耘をおこない、突起形状部分が付加された分表面積が増える事で耕耘作業によって爪が磨耗して使用できなくなるまでの期間が長くなるため従来技術の耕耘爪よりも耐磨耗性が向上する。
【発明を実施するための最良の形態】
【００１５】
本発明の耕耘爪Ａ（１）をホルダー（２）に挿し込み、取り付け穴Ｂ（１０）と取り付け穴Ａ（９）にボルトを挿し通しナットで固定し（耕耘幅の変動に応じて耕耘爪（１）の使用本数の増減がある）基点P（１１）を基点に矢印（３）方向に回転し耕耘作業をおこなう。
【００１６】
作業回転径（４）内で矢印（３）方向に回転した耕耘爪Ａ（１）の直爪部（６）に設けた突起（７）から地面（５）に対し垂直に切れ目を作り追いかけるように先端屈曲部（８）で耕耘する。突起（７）により切れ目の入った地面を耕耘するのと、未耕地を耕耘するのでは、突起（７）により切れ目の入った地面を耕耘する方が先端屈曲部（８）にかかる負荷（打ち込み抵抗）は軽減される、本発明は突起（７）部を持つ直爪部（６）が土中に入った後に先端屈曲部（８）が土中に打ち込まれるため打ち込み時の抵抗が軽減され振動を抑制する効果をえる事が出来る。
【００１７】
（図３）で本発明の耕耘爪Ａ（１）が基点Ｐ（１１）を基点に矢印(３)方向に回転し、作業最下点（１２）通過時の残耕量を（図５）の残耕１（１３）で示し、（図４）で従来の耕耘爪Ｂ（１４）が基点Ｐ（１１）を基点に矢印(３)方向に回転し、作業円最下点（１２）通過時の残耕量を（図６）の残耕２（１５）で示す。
【００１８】
従来の耕耘爪Ｂ（１４）の残耕形状が残耕２（１５）の形状をしているのに対し、本発明の耕耘爪Ａ（１）の耕耘作業では突起（７）で切り込んだ後、先端屈曲部（８）による耕耘によって突出部分（１６）が崩れやすくなるため、残耕１（１３）の形状で耕耘作業が完了するので（図６）で示す残耕２（１５）の形状よりも、多くの土を耕す事となって、残耕量の少ない作業が出来る。
【００１９】
本発明は突起（７）を形成することにより、先端屈曲部（８）から磨耗していたものが、突起（７）から、緩やかに先端屈曲部（８）にかけて磨耗するようになる。切りこみが入った地面を耕耘する負荷を軽減した耕耘をすることと、本発明の耕耘爪Ａ（１）は表面積が増えた分全体に掛る負荷が分散したことにより耐磨耗性が向上した。
【図面の簡単な説明】
【００２０】
【図１】本発明の耕耘爪の作業図
【図２】(図１)を簡略した側面図
【図３】本発明の耕耘爪正面図
【図４】従来技術の耕耘爪の正面図
【図５】（図３）で作業最下点（１２）通過時の作業図
【図６】（図４）で作業最下点（１２）通過時の作業図
【符号の説明】
【００２１】
１  耕耘爪Ａ
２  ホルダー
３  矢印
４  作業回転径
５  地面
６  直爪部
７  突起
８  先端屈曲部
９  取り付け穴Ａ
１０  取り付け穴Ｂ
１１  基点Ｐ
１２  作業最下点
１３  残耕１
１４  耕耘爪Ｂ
１５  残耕２
１６  突出部分
【図１】
2009106207.tif 000003
【図２】
2009106207.tif 000004
【図３】
2009106207.tif 000005
【図４】
2009106207.tif 000006
【図５】
2009106207.tif 000007
【図６】
2009106207.tif 000008
(57)【要約】【課題】水槽の中の水は、入っている魚の糞等によって汚れてくるが、人の手をあまり煩わすことなく、その水をきれいに保つことが目的である。【解決手段】水槽の中に、多数のろ過材である石灰石を、ろ過器の中に入れて、直接設置し、ろ過器の上部に設けた水中ポンプによって汚水を循環させると、ろ過器の中の石灰石に、バクテリアが発生する。そのバクテリアによって水槽内の有機物が分解されて、自然と水をきれいに保つことが出来る。【選択図】図２
2009106919.tif 000002
【特許請求の範囲】
【請求項１】
ろ過材として石灰石の入ったろ過室に、汚水を下から上に通すと。その石灰石の周囲にバクテリアが自然発生する。そのバクテリアによって汚水の元である有機物が分解され、水が浄化されるろ過器。
【請求項２】
水槽内に直接、請求項１に係る石灰石の入ったろ過器を、上部に水中ポンプを取り付け、底部は網の状態にして、設置した時に水槽の底との間に僅かなスキマが出来るように設置されたろ過装置。
【発明の詳細な説明】
【技術分野】
【０００１】  本発明は水槽内に、ろ過材をいれた水中ポンプ付きの、ろ過器を設置して、汚水を浄化する装置及び、使用するろ過器に関するものである。
【背景技術】
【０００２】  従来のろ過装置には、ろ過槽を多孔板で三段に仕切りをつけたもの、フィルター交換時にも菌床を別に残すことの出来るよう、スポンジ回転体を取り付けたものなどがある。【０００３】  以下、図１，図２、図３，図４により従来のろ過装置について説明する。【０００４】  〔特許文献１〕特開平０８−２０５７０７号公報（図１）
水槽の上部に設定されるろ過槽を、上下の多孔板で三段に仕切り、ろ過装置設置当初のバクテリア繁殖以前の不安定な時期から、効率よく水槽内の水をろ過することが出来る。
2009106919.tif 000003
【０００５】  〔特許文献２〕特開平１０−１９２８８７号公報（図２）
好気性バクテリアが繁殖するろ過材を入れたろ過室と、嫌気性バクテリアが繁殖する充填材を入れた浄化槽を一体化したろ過装置で水中の有機物を確実に分解するとともに、水中の窒素化合物をも除去することができる。
2009106919.tif 000004
【０００６】  〔特許文献３〕特開２００３−２０００１１号公報（図３）
鉱物を加工してパウダー化された物と、接着剤を混合して出来た、ろ過マットにより、バクテリアの成長に不可欠なミネラルを安定的に供給出来る物である。
2009106919.tif 000005
【０００７】  〔特許文献４〕特開２００５−５２６９９号公報（図４）
スポンジ回転体を使って、フィルターの交換時にこれに付着した生物ろ過に有益な菌種が捨てられても、その菌床を別に残すことのできる、ろ過器である。
2009106919.tif 000006
【発明の開示】
【発明が解決しようとする課題】
【０００８】  従来のろ過装置では、バクテリア発生装置としての、有効なろ過材がなかった。
しかもろ過装置の中に汚水を通して、バクテリアを発生するように出来たとしても、上から下に水を通すということは、汚物がすぐに詰まってしまい、幾度となく掃除が必要であった。
【課題を解決するための手段】
【０００９】  本発明はまず、有機物を分解して汚水が浄化されるための、バクテリアが発生しやすい、ろ過材は何かということで研究を進めた。【００１０】  そして、最良のろ過材は石灰石であるということが、度重なる実験によって立証された。【００１１】  その石灰石の集まりの中を、下から上に汚水が通ることで、水は詰まることがない。
バクテリア発生前の段階では、ろ過材がフィルターの役目をなし、次に有機物分解に必要なバクテリア発生に移行することも、実験で立証された。【００１２】  本発明では、水槽内に直接、石灰石を使用したろ過器を設置することで、水の循環が早くなり、バクテリアによる有機物の分解も早く行われる。【００１３】  それと同時に、ろ過された水がすぐに空気と一緒に水槽内に戻されて、酸素の供給も出来、実験の結果、夏でもガラス面が汚れず、水も濁ることなく、特に魚にとって必要なミネラル分が生成されるようになる。【００１４】  従って、ほとんど掃除の必要がなく、上記課題が解決された。
【発明の効果】
【００１５】  本発明は、水槽の水が蒸発などで減少する分は、偶に補充が必要であるが、水の入れ替えと掃除の必要がほとんどなくなってくる。【００１６】  従来、水の入れ替えをすることで水温が変化し、入れている魚が弱ったりしたことが本発明では解消できて、石灰石がバクテリアを発生させてくれるだけでなく、微量に溶け出す炭酸カルシュウムの働きで、より元気になってくれる。
【発明を実施するための最良の形態】
【実施例】
【００１７】  本発明は、ろ過器（４）の上部に設けた水中ポンプ（１）の働きでろ過器（４）の中の水が汲み出され、パイプ（２）より水中に向けて勢いよく吹き出される。【００１８】  同時に、ろ過器（４）の中は水が汲み出されるために、水位を保とうとして、ろ過器の底部にある僅かなスキマから、周りの魚の糞，餌の食べ残しなどの汚水を吸い上げてくれる。【００１９】  以上の循環が繰り返し行われるうちに、石灰石（３）に当初は単なる汚物として漉しとられていた物質によって、次はその汚物である有機物を分解するバクテリアが発生して、本格的な水の浄化が行われる。
【図面の簡単な説明】
【００２０】
【図１】本件発明の斜視図
【図２】本件発明の断面図
【符号の説明】
【００２１】  １  水中ポンプ
２  パイプ
３  石灰石
４  ろ過器
【図１】
2009106919.tif 000007
【図２】
2009106919.tif 000008
(57)【要約】      （修正有）【課題】家畜の排出物から出る悪臭を低い費用で処理できる方法を提供する。【解決手段】浄水場から回収される使用済み活性炭を熱菌処理し家畜の飼料に混ぜ食べさせる事で、家畜の排出物中の悪臭を活性炭に吸着させ、排出物を消臭する。【選択図】なし【特許請求の範囲】
【請求項１】
・浄水場の使用済活性炭を飼料に混ぜ家畜に与える事で排出物の臭いをおさえる技術は私の権利です。
・県企業局等から発生する使用済活性炭を利用します
・製造方法は家畜の飼料（鶏、豚、牛その他）に熱菌処理した使用済活性炭１〜３％混ぜます。
・活性炭は１ｇ当たり１，０００ｍ２以上の比表面積がある物質で浄水場の使用済活性炭でも１ｇ当たり６００ｍ２以上あります、この微細孔を利用して飼料といっしょに家畜の体内に入れ排出物の臭いを吸着させます。
【発明の詳細な説明】
【技術の分野】
【０００１】この発明は浄水場の使用済活性炭の有効利用と家畜の排出物に脱臭に関するものである。
【背景技術】
【０００２】従来浄水場から発生する使用済活性炭は廃棄物として焼却してきましたこれを有効利用する為、また家畜の排出物の悪臭を少なくする為に開発いたしました。
【発明開示】
【発明が解決しようとする課題】
【０００３】家畜の排出物の悪臭が住民を悩ませ、臭いをおさえる為にいろいろな方法がとられてきましたが今一効果があまりありません、浄水場から発生する使用済活性炭を利用する事でこれを解決する事を考えました。
【発明が解決するための手段】
【０００４】浄水場から出てくる使用済活性炭を家畜の飼料に混ぜ与える。
【発明の効果】
【０００５】本発明で畜産の振興に寄与できると思います。
【発明の効果】
【０００６】本発明を実施するために飼料会社と提携していきます。
【図面】
【０００７】特にナシ
(57)【要約】【課題】従来のオフィス等で使用されているＬ字形状の天板の机は、規模が大きく、一般家庭では、基本的に略矩形状の天板の机を使用しているが、形状が異なるため、オフィスと家庭では異なる姿勢になるため、同じ効果、機能を持たせつつ、家庭で使えるように小型化にして解決すること。【解決手段】天板１を平面視で前向きに、前端からの深さ寸法Ｌを２５０ｍｍ以上、頂角θ１が７０〜９５°で頂角が略円弧状の２等辺三角形状の開口した凹所２を設けることにより、この問題を解決する。【選択図】図２
2009106399.tif 000002
【特許請求の範囲】
【請求項１】
平面視前向きに開口の凹所２を三角形状にしたことを特徴とする机の天板。
【請求項２】
凹所２は、頂角が略円弧状の２等辺三角形状を形成し、頂角θ１が７０〜９５°で、前端からの深さ寸法Ｌを２５０ｍｍ以上を特徴とする机の天板。
【請求項３】
請求項１および請求項２の天板。
【発明の詳細な説明】
【技術分野】
【０００１】
本発明は、略矩形状の机の天板に関するものであり、天板の形状に工夫を加えることによって、Ｌ字形状の天板の机と同じ効果、機能を、省スペースで使用できるように小型化したものである。
【背景技術】
【０００２】
従来から、両肘を机の上にのせれるように、Ｌ字形状の天板の机がオフィスなどで利用されている。  この例として、特許文献１や、特許文献２及び、非特許文献１に開示されているものがある。
【特許文献１】特開２００７−７５２８６号公報
【特許文献２】特開２００３−３２８４８１号公報
【非特許文献１】「２００７年版  コクヨ総合カタログ  オフィスファニチャー編」、コクヨファニチャー株式会社、２００７年、ｐ．５６
【発明の開示】
【発明が解決しようとする課題】
【０００３】
従来のようなＬ字形状の天板５の机では、規模が大きく、家庭などでの設置は難しく、一般的な略矩形状の天板６の机を使用すると、オフィスと家庭では、同じ姿勢で使うことは出来ない。（図５、図６参照）
本発明は、このような、オフィスと家庭で違う姿勢になる不都合を解決することを課題とする。
【課題を解決するための手段】
【０００４】
本願発明者は、Ｌ字形状天板の机での身体の肘の位置、姿勢等について総合的に観察し、この観察結果を元に、実施するための最適な形状を導き出し、本願請求項の発明を完成させるに至った。
【０００５】
図５、図６に示すように、Ｌ字形状の天板５の机を使用する人の姿勢においては、上半身をほぼ直立させた姿勢で椅子８に腰掛けた場合や、上半身を後ろに傾斜させ、椅子８の背もたれにもたれ掛かって、腕を伸ばし気味にした姿勢を採る場合など、
使用者によって姿勢は一定しないが、いずれの場合でもＬ字形状の天板５の机では、肘を天板の上にのせることができるが、一般的な略矩形状の天板６の机を使用する人の姿勢においては、、同じ姿勢をした場合、肘を天板の上にのせることができない。
【０００６】
また、一般的な略矩形状の天板６の机を使用した場合、手首から肘までを天板から浮かせて使用する場合と、手首から肘までの一部が天板の前端の上面側の角に接触する場合があり、特に、手首から肘までの一部が天板の前端の上面側の角に接触する場合は、長時間の使用をしていると痛みを伴うことがある。そのため、略矩形状の天板６の机を使う場合には、これに適した姿勢で使用することになり、Ｌ字形状の天板５の机と略矩形状の天板６の机では、異なる姿勢で使用することになる。
【０００７】
この課題を解決するための請求項１および請求項２の発明は平面視前向きに開口の三角形状の凹所２にしたところを特徴とする、両肘を肘がのせれる部分３にのせることが出来る略矩形状の天板である。
三角形状の凹所２にすることで、使用者の腹部をここに入り込ませることによりＬ字形状の天板５の机と同じ姿勢で使用することができる。
【発明の効果】
【０００８】
本発明により、家庭などに設置が可能となり、机をオフィスと家庭で違う姿勢で使用するという不具合はおきず、また、机を使用しない場合は平面視前向き開口の凹所２に椅子を入れることで、省スペース化の効果がある。
【発明を実施するための最良の形態】
【０００９】
以下、本発明の実施形態を図２に基づいて説明する。
【００１０】
第１実施形態は、机（テーブル）に適したもので、机は天板１とこれを支持する脚装置４とを備えている（脚装置は図２、図３および図４でだけ表示し、他の図では省略している）。天板１は、全体的に左右横長であり、左右の横幅は、８００ｍｍ以上、前後幅寸法は６００ｍｍ以上に設定される。
【００１１】
天板１の左右中間部には平面視で前向きに開口した頂角が略円弧状の三角形状の凹所２を形成している。三角形状の凹所２は、頂角θ１が７０〜９５°の２等辺三角形で、実施例では、頂角θ１は９０°に設定している。
凹所２は曲率半径Ｒを７０〜１７０ｍｍ程度で、天板１の前端からの深さ寸法Ｌを２５０ｍｍ以上に設定している。実施例では、曲率半径Ｒを１００ｍｍ、天板１の前端からの深さ寸法Ｌをを２９０ｍｍで設定している。
【００１２】
図３に示す図は、使用時の姿勢の１例である。
【００１３】
図４に示す第２実施形態では、脚部装置を短くして、座卓にしたものである。
【産業上の利用可能性】
【００１４】
本発明に係る天板は、工業的に量産することが可能であるため、産業上の利用可能性を有する。
【図面の簡単な説明】
【００１５】
【図１】第１実施形態の斜視図である。
【図２】天板の平面図である。
【図３】第１実施形態の使用例を説明する左側面図である。
【図４】第２実施形態を示す図である。
【図５】従来技術の問題点を説明するための図である。
【図６】従来技術の問題点を説明するための図である。
【符号の説明】
【００１６】
１  天板
２  凹所
３  肘がのせれる部分
４  脚装置
５  Ｌ字形状の天板
６  略矩形状の天板
７  キーボード
８  椅子
【図１】
2009106399.tif 000003
【図２】
2009106399.tif 000004
【図３】
2009106399.tif 000005
【図４】
2009106399.tif 000006
【図５】
2009106399.tif 000007
【図６】
2009106399.tif 000008
(57)【要約】    【課題】外部から装置の内部に異物が侵入するのを防止する。    【解決手段】ケーシング１にステータ２を固定し、ケーシング１に回転軸７を回転可能に支持し、回転軸７にロータ８を固定し、回転軸７に旋回軸１１を偏心して回転可能に支持し、旋回軸１１の端部に旋回板１２を固定し、軸受支え４と旋回板１２との間に３個のピンクランク１３を設け、ケーシング１に回転可能にシール板１７を取り付け、シール板１７の回転中心軸を回転軸７の回転中心軸と一致させ、シール板１７を旋回軸１１に回転可能に取り付ける。【選択図】        図１
2009106048.tif 000002
【特許請求の範囲】
【請求項１】
ケーシングと、上記ケーシングに固定されたステータと、上記ケーシングに回転可能に支持された回転軸と、上記回転軸に固定されたロータと、上記回転軸に偏心して回転可能に支持された旋回軸と、上記旋回軸の偏心旋回を許容しかつ上記旋回軸の自転を防止する自転防止装置とを有する偏心旋回駆動装置において、上記ケーシングに上記回転軸の回転中心軸を中心として回転可能にシール板を取り付け、上記シール板を上記旋回軸に回転可能に取り付けたことを特徴とする偏心旋回駆動装置。
【請求項２】
上記ケーシングと上記シール板との間、上記シール板と上記旋回軸との間の少なくとも一方に軸受を設けたことを特徴とする請求項１に記載の偏心旋回駆動装置。
【発明の詳細な説明】
【技術分野】
【０００１】
本発明は旋回軸が所定の軸を中心に偏心旋回しかつ自転しない偏心旋回駆動を行なう偏心旋回駆動装置に関するものである。
【背景技術】
【０００２】
従来の偏心旋回駆動装置においては、特許文献１に示されるように、モータの回転軸に偏心して回転可能に旋回軸を支持し、旋回軸とケーシングとの間に自転防止装置を設け、ケーシングに開口部を設け、開口部から旋回軸の端部を突出させている。
【特許文献１】特開２００１−１７８０７２号公報
【発明の開示】
【発明が解決しようとする課題】
【０００３】
しかし、このような偏心旋回駆動装置においては、外部から開口部を介して装置の内部に異物が侵入することがある。
【０００４】
本発明は上述の課題を解決するためになされたもので、外部から装置の内部に異物が侵入するのを防止することができる偏心旋回駆動装置を提供することを目的とする。
【課題を解決するための手段】
【０００５】
この目的を達成するため、本発明においては、ケーシングと、上記ケーシングに固定されたステータと、上記ケーシングに回転可能に支持された回転軸と、上記回転軸に固定されたロータと、上記回転軸に偏心して回転可能に支持された旋回軸と、上記旋回軸の偏心旋回を許容しかつ上記旋回軸の自転を防止する自転防止装置とを有する偏心旋回駆動装置において、上記ケーシングに上記回転軸の回転中心軸を中心として回転可能にシール板を取り付け、上記シール板を上記旋回軸に回転可能に取り付ける。
【０００６】
この場合、上記ケーシングと上記シール板との間、上記シール板と上記旋回軸との間の少なくとも一方に軸受を設けてもよい。
【発明の効果】
【０００７】
本発明に係る偏心旋回駆動装置においては、シール板により旋回軸が突出した部分をシールすることができるから、外部から装置の内部に異物が侵入するのを防止することができる。
【０００８】
また、ケーシングとシール板との間、シール板と旋回軸との間の少なくとも一方に軸受を設けたときには、旋回軸の偏心旋回駆動を円滑にすることができる。
【発明を実施するための最良の形態】
【０００９】
図１は本発明に係る偏心旋回駆動装置を示す概略断面図、図２は図１の拡大Ａ−Ａ断面図、図３は図１の拡大Ｂ矢視図である。図に示すように、ケーシング１にステータ２が固定され、ケーシング１に軸受支え３、４が固定され、軸受支え３、４に軸受５、６を介して回転軸７が回転可能に支持されている。すなわち、ケーシング１に回転軸７が回転可能に支持されている。また、回転軸７にロータ８が固定され、ステータ２、ロータ８等によりモータが構成されている。また、回転軸７に軸受９、１０を介して旋回軸１１が回転可能に支持され、回転軸７の中心線と旋回軸１１の中心線とは偏っている。すなわち、旋回軸１１は回転軸７に偏心して回転可能に支持されている。また、旋回軸１１に旋回板１２が固定され、軸受支え４（ケーシング１）と旋回板１２との間に３個のピンクランク１３が設けられている。このピンクランク１３のクランク本体１４には軸１５、１６が設けられ、軸１５の中心線と軸１６の中心線とは偏心しており、この偏心量は回転軸７の中心線と旋回軸１１の中心線との偏心量と等しい。また、ピンクランク１３の軸１５は軸受支え４に軸受（図示せず）を介して回転可能に支持され、ピンクランク１３の軸１６は旋回板１２に軸受（図示せず）を介して回転可能に支持されている。そして、旋回板１２、ピンクランク１３等により旋回軸１１の偏心旋回を許容しかつ旋回軸１１の自転を防止する自転防止装置が構成されている。また、ケーシング１に軸受１８を介して回転可能にシール板１７が取り付けられ、シール板１７の回転中心軸は回転軸７の回転中心軸と一致している。また、シール板１７が旋回軸１１に軸受１９を介して回転可能に取り付けられている。
【００１０】
図１〜図３に示した偏心旋回駆動装置においては、ステータ２の巻線に通電すると、ロータ８、回転軸７が回転し、旋回軸１１は回転軸７の中心線を中心として偏心旋回するが、ピンクランク１３等からなる自転防止装置が設けられているから、旋回軸１１は自転しない。このため、旋回軸１１がケーシング１に対して回転せずに偏心旋回する。また、シール板１７の回転中心軸は回転軸７の回転中心軸と一致しているから、シール板１７によって旋回軸１１の偏心旋回駆動が阻害されることはない。
【００１１】
このような偏心旋回駆動装置においては、シール板１７により旋回軸１１が突出した部分をシールすることができるから、外部から装置の内部に異物が侵入するのを防止することができる。また、軸受１８、１９を設けているから、旋回軸１１の偏心旋回駆動を円滑にすることができる。
【００１２】
なお、上述実施の形態においては、軸受１８、１９を設けたが、ケーシングとシール板との間、シール板と旋回軸との間のどちらか一方に軸受を設けてもよい。
【図面の簡単な説明】
【００１３】
【図１】本発明に係る偏心旋回駆動装置を示す概略断面図である。
【図２】図１の拡大Ａ−Ａ断面図である。
【図３】図１の拡大Ｂ矢視図である。
【符号の説明】
【００１４】
１…ケーシング
２…ステータ
７…回転軸
８…ロータ
１１…旋回軸
１２…旋回板
１３…ピンクランク
１７…シール板
１８…軸受
１９…軸受
【図１】
2009106048.tif 000003
【図２】
2009106048.tif 000004
【図３】
2009106048.tif 000005
(57)【要約】【課題】杖を使用しているとき、両手で他の動作ができるように、杖の握り（グリップ）から手を放すと、手首に杖がかかった状態になる杖の補助具、つえラックを提供する。【解決手段】杖の支柱にとりつける着脱自在な杖の補助具に関する装着具である。杖の支柱に左右の留め具で装着することにより、杖のグリップの上部にひも状の輪がグリップに対して垂直のアーチができる。握り部分から手を放すと、手首にひもがかかった状態になり、杖を放さず別の動作ができる。杖の使用時に、アクシデントが発生した場合、杖のグリップから手が瞬時に放れるので、杖とともに、身体が倒れない杖の持ち手を特徴とする。【選択図】図３
2009106724.tif 000002
【特許請求の範囲】
【請求項１】
ひも状のもの  （１）をＵ字形に折り曲げ、それを輪になるように、ひも状のもの（１）の裏面の上に、つなぎのゴムひも  （３）を設け、その上に、ひも状のもの（１）の両端  （２）（２′）を折り上げ、次にゴムひもの両端  （４）（４′）をそれぞれ内側に折りこむ。その左右の両面に、一対の留め具  （５）（５′）を設け、ひも状のもの（１）の輪のアーチ表面に、飾りの物（６）を付けた、装着具のつえラック。
【請求項２】
ひも状のもの  （１）をＵ字形に折り曲げ、それを輪になるようにつなぎのゴムひも  （３）を横一文字に置く。その上に、ひも状のもの（１）の両端  （２）（２′）を折り上げ、その両端に、一対の留め具  （４）（４′）を設けて、杖の支柱に装着すると、グリップ上部に対して垂直の輪のアーチができる。輪のアーチ表面に、飾りの物（５）を付けることもできる、着脱自在な杖の補助具つえラック。
【発明の詳細な説明】
【技術分野】
【０００１】この発明は、杖の支柱に装着する、着脱自在な杖の補助具で、杖の持ち手に関するものである。
【背景技術】
【０００２】従来、リング型のゴムや金具に、ひもの輪を取り付けたストラップ状の装着具はあるが、ひもの輪に手を入れて握り部（グリップ）を握るため、アクシデントが起きたとき、ひもが手から放れず杖と身体が一緒に倒れる危険があった。
【発明の開示】
【発明が解決しようとする課題】
【０００３】従来の杖には、次のような欠点があった。
（イ）  杖を使用していて両手を使うとき、杖を立てかけたり置いたりしなくてはならなかった。
（ロ）  従来の杖には、杖の支柱にリング型のゴムや金具に、ひもの輪がついているが、その輪を手にかけて杖を使用すると、細い柔らかいひも状なので、杖が物に引っかかりアクシデントが起きたとき、手から杖が放れないため、身体ごと転倒する危険がある。
本発明は、以上のような欠点をなくすためになされてものである。
【課題を解決するための手段】
【０００４】図１に示したように、ひも状のもの（１）を、Ｕ字形にしその上にゴムひも（３）を横一文字におく。図２に示したように、ひも状のもの（１）の両端（２）（２′）をゴムひも（３）の上に折り上げ、その左右の両面に一対の留め具（４）（４′）を設ける。ひも状（１）の表面に装飾品（５）を設けることもできるので、フッションの一部として楽しむことができる。
本発明は以上の構成よりなる着脱自在な杖の補助具つえラックである。
【発明の効果】
【０００５】    杖の支柱に、左右の留め具で装着すると、杖のグリップ上にひも状の輪のアーチができる。グリップを握ると、その輪が手首にかけれる状態となるので、杖を放さず用事ができる。杖を使用している時、アクシデントが起きた場合、杖のグリップから手が、瞬時に離れるので、杖と共に、身体が倒れない。
【発明を実施するための最良の形態】
【０００６】以下、本発明を実施するための、最良の形態について説明する。ひも状のもの  （１）を、Ｕ字形に折る。その上にゴムひも（３）を、ひも状（１）の両端（２）（２′）面を接続のため横一文字に置く。ひも状（１）の両端（２）（２′）をゴムひも（３）の上に折り上げる。
その左右両面に、一対の留め具（４）（４′）を固定する。ひも状のもの（１）の表面に装り物（５）を施せば、ファッシヨンの一部として楽しむことができる。本発明は、以上のような構造である。これを使用するときは、杖の支柱に、留め具（４）（４′）で装着すると、杖のグリップ（６）上に、グリップに対して垂直のひものアーチができるから、グリップ（６）から手を放すと、手首にひもが、杖と共にかけられる状態となるので、杖を手から放さないですむ。
【図面の簡単な説明】
【０００７】
【図１】本発明の裏面図である。
【図２】本発明の裏面図である。
【図３】本発明の使用時の側面図である。
【符号の説明】
【０００８】１        ひも状のもの
２  ２    ひも状の両端
３        ゴムひも
４，４    一対の留め具
５、      飾り物
６        グリップ
７        杖の支柱
【図１】
2009106724.tif 000003
【図２】
2009106724.tif 000004
【図３】
2009106724.tif 000005
(57)【要約】      （修正有）【課題】スーツケースを車両のトランクに積む際に、持ち上げる力を軽減できるよう、伸縮性の引き手を利用するスーツケースを提供する。【解決手段】スーツケースの伸縮性引き手の上部に、車両のトランクの縁に引っ掛けられる滑り止めを形成し、同滑り止めを車両トランクの縁に引っ掛けた状態で底部を持ち上げれば、テコの原理で従来よりも少ない力でスーツケースを持ち上げることができる。また、引き手を伸縮する際に押すボタンを押し下げたままの状態に固定可能とし、車両のトランクに押し入れるだけで、引き手も収納することが可能なスーツケースである。【選択図】図１
2009106769.tif 000002
【特許請求の範囲】
【請求項１】
伸縮性の引き手の上部に、車両のトランクの縁に引っ掛けることができる滑り止めを形成し、同滑り止めを引っ掛けた状態で底部を持ち上げることで、車両のトランクへ持ち上げる力を軽減することが可能なスーツケース。
【請求項２】
請求項１において、引き手を伸縮させる際に押すボタンを押し下げたままの状態に保てる固定具を形成し、車両のトランクに載せながら伸びていた引き手も収納可能なスーツケース。
【発明の詳細な説明】
【技術分野】
【０００１】
本発明は、重たいスーツケースを車両のトランクに積む際に、これまでより少ない力で持ち上げることができるよう、伸縮性の引き手を利用したものである。          
【背景技術】
【０００２】
従来は、スーツケースを車両のトランクに積むには、そのまま持ち上げるしかなかった。
【発明の開示】
【発明が解決しようとする課題】
【０００３】
重たいスーツケースを車両のトランクまで持ち上げる力を軽減しようとするものである。
【課題を解決するための手段】
【０００４】
伸縮性の引き手上部に、車両のトランクの縁に引っ掛けることができる滑り止めを形成した。また、引き手を伸縮する際に押すボタンを押し下げたままの状態でロックできる固定具を形成した。
【発明の効果】
【０００５】
滑り止めを車両のトランクの縁に引っ掛けた状態でスーツケースの底部を持ち上げると、テコの原理により、これまでよりも少ない力で車両のトランクに積むことが可能である。更に、引き手を伸縮させる際に押すボタンを押し下げたままの状態に固定することで、車両のトランクに押し入れながら伸びていた引き手も収納することが可能なスーツケースである。
【発明を実施するための最良の形態】
【０００６】
滑り止めは、伸縮性引き手のグリップ付近の左右に形成し、引き手を握る際に邪魔にならないようにする。同滑り止めはゴムまたはシリコン等の弾力性材を使用し、表面には凹凸や溝を掘ることで滑り止め効果を高める。
引き手の伸縮するパイプ部は、車両のバンパー等に触れる可能性があることから、車体を傷つけないために滑り止めと同様の弾力性材で覆う。
車両のトランクに押し入れれば自然に引き手が収納できるように、引き手収納用のボタンを押し下げたままの状態に保てる固定具を付ける。
トランクの底部に持ち上げやすいように取手を付ける。
【図面の簡単な説明】
【０００７】
【図１】本発明であるスーツケースの立体図。
【符号の説明】
【０００８】
１及び２  車両のトランクの縁に引っ掛けられる形状の滑り止めで、グリップの左右に配置することでスーツケースの持ち運びには邪魔にならない。
３        引き手収納用のボタンを押し下げたままにする固定具を付け、車両トランクに載せながら引き手を収納できるようにする。
【図１】
2009106769.tif 000003
【手続補正書】
【提出日】平成21年2月2日(2009.2.2)
【手続補正１】
【補正対象書類名】図面
【補正対象項目名】図１
【補正方法】変更
【補正の内容】
【図１】
2009106769.tif 000004
(57)【要約】      （修正有）【課題】肩凝り、腰痛、筋肉痛などの治療に効果のある、磁石又はゲルマニウム入りシップ剤を提供する。【解決手段】布体４の片面に塗布する膏薬部２に磁石３またはゲルマニウム６を設ける。【選択図】図３
2009106715.tif 000002
【特許請求の範囲】
【請求項１】
布体の片面に膏薬と磁石を設けたことを特徴とする磁石入りシップ剤。
【請求項２】
布体の片面に膏薬を塗布し、その表面にゲルマニウムを設けたことを特徴とするゲルマニウム入りシップ剤。
【請求項３】
布体の片面に塗布する膏薬部に磁石を設け、その表面にはゲルマニウムを設けたことを特徴とする磁石とゲルマニウム入りシップ剤。
【発明の詳細な説明】
【発明の詳細な説明】
【技術分野】
【０００１】  本発明は、病気ではない肩こり、腰痛、筋肉痛などの治療に効果のある、鎮痛消炎の膏薬と併用する磁石又はゲルマニウム入りシップ剤に関する。
【背景技術】
【０００２】  従来、肩こり、腰痛、筋肉痛などの治療として、布地の片面に鎮痛消炎膏薬を塗布したシップ剤、又は、粘着シールに磁石を設けたもの、或いは粘着シールにゲルマニウムを設けたものなどはあった。
何れも、それぞれに効果があり認可され実用化されている。
【発明の開示】
【発明が解決しようとする課題】
【０００３】  然しながら、肩こり、腰痛、筋肉痛などにおいて、シップ剤がよく効く場合と、粘着シールに磁石を設けた磁力線作用の方がよく効く場合、又は有機ゲルマニウムを用いた方が良く効く場合など様ざまであった。
【課題を解決するための手段】
【０００４】  布体の片面に塗布する膏薬に、磁性材（ハードフェライト）の顆粒状などを混入させ、それを塗布してから着磁した、磁石入りシップ剤を作る。【０００５】  或いは、布体面に磁性材を点在して、その上に膏薬を塗布してから着磁してもよい。（注、磁性材は着磁の工程を経て磁石となる、以後磁石と表現する。【０００６】  または、前記膏薬面にゲルマニウムを設けた、ゲルマニウム入りシップ剤を作る。尚、ゲルマニウムは膏薬面で肌に接しるように設ける。
尚、シップ剤を取り替えるときはゲルマニウムを剥がしとり、次の膏薬の表面に貼るようにして繰り返し用いると経済的である。【０００７】  そして、膏薬部に磁石とゲルマニウムを併せて設ける。
【発明の効果】
【０００８】  シップ剤の効果と磁石、又は、ゲルマニウムの作用で、肩凝り、腰痛、筋肉痛などの血行改善が相乗的に作用し優れた治療効果がある。
【発明を実施するための最良の形態】
【０００９】  以下本発明の実施の形態を図１〜図４に基づいて説明する。【００１０】  図１に於いて、布体に膏薬と磁石及びゲルマニウムを設けたシップ剤１を作る。（磁石及びゲルマニウムの形状、大きさ、数量などは任意である。）【００１１】  図２において、膏薬２に磁石３を混入したものを布体４に塗布し、その上に保護フイルム５を貼り付けた磁石入りシップ剤を作る。【００１２】  図３に於いて、布体４の面に磁石３を点在して、その上に膏薬２を塗布し、その膏薬２の表面にゲルマニウム６を設け、その上に保護フイルム５を貼り付けた磁石とゲルマニウム入りシップ剤を作る。【００１３】  図４に於いては、布体４に膏薬２を塗布した表面にゲルマニウム６を設けて保護フイルム５を貼り付けたゲルマニウム入りシップ剤を作る。
【図面の簡単な説明】
【００１４】
【図１】  本発明のシップ剤で、磁石またはゲルマニウムを設けたところの代表平面図である。
【図２】  膏薬２に磁石３を混入したところの、図１のＡ−Ｂ断面図である。
【図３】  布体４の上部に膏薬２と磁石３及びゲルマニウム６を設けたところの、図１のＡ−Ｂ断面図である。
【図４】  布体４の面に膏薬２を塗布し、その表面にゲルマニウム６を設けたところの、図１のＡ−Ｂ断面図である。
【符号の説明】
１  シップ剤          ４  布体
２  膏薬              ５  保護フイルム
３  磁石              ６  ゲルマニウム
【図１】
2009106715.tif 000003
【図２】
2009106715.tif 000004
【図３】
2009106715.tif 000005
【図４】
2009106715.tif 000006
(57)【要約】      （修正有）【課題】簡易マスクと接触する部分の隙間をなくし、外気ろ過能力が高く且つ、使用者の外観を損ねない簡易マスクを提供する。【解決手段】簡易マスクの使用場所を顔面から口内へ移し、そして簡易マスク１は口内にて外気をろ過しつつ使用者が通常の呼吸が行えるように形成し、また、使用者が唇や舌を使って人為的に操作することにより隙間を完全に塞ぐことのできる構成にした。【選択図】図１
2009106710.tif 000002
【特許請求の範囲】
【請求項１】
簡易マスクの機能を有する本体全体を口内に装着し、ろ過フィルタを通し呼吸することのできるように、本体両端、呼吸口と吸排口をフィルタ室内の空間にて繋ぎ、このフィルタ室内に設置した、ろ過フィルタを通し呼吸することができる構造にした簡易マスク。
【発明の詳細な説明】
【発明の詳細な説明】
【技術分野】
【０００１】本発明は、一般家庭用の気密性確保により、気体ろ過能力向上を図った簡易マスクに関する。
【背景技術】
【０００２】近年、家庭用の簡易マスクは、例えば特許公開公報「特開２００３−０４７６６８号」や「特開２００４−０４９３５６号」に記載されているように、簡易マスク本体の縁と顔面との密着性を高めるなど簡易マスク本体に形状策をほどこしたものが主流になってきている。【０００３】以下、図５により従来の簡易マスクについて説明する。
図において、簡易マスク本体７は、マスク本体を左右等分に折り畳んだ状態で、その縦中央線側の上縁一角に三角形状のつの片８を有している。【０００４】つの片８の形成によって、左右等分に折り畳んだ簡易マスク本体７をひろげた時、マスク本体の上縁中央がＶ字状となり、その形状は鼻元と合致し密着性を高める。
【発明が解決しようとする課題】
【０００５】以上に述べた従来の簡易マスクの問題点は、つの片８の形成により成るＶ字状部分の形状が必ずしも使用者の鼻もとに合致せず、またこの場合鼻もとから頬にかけて、簡易マスク本体周りの縁と顔面の間に、隙間が生じ易く密着性の低いものであった。また吐く息によりフィルタが湿ることで、フィルタの気体ろ過能力を低下させ、さらに外観的に使用者の外観を損ねるものであった。
【０００６】本発明は、このような従来の簡易マスクの形成が有していた問題を解決しようとするものであり、マスクと接触する部分の隙間をなくすことで使用者個々の凹凸による特徴を選ばず密着させ、且つ構造が簡単で製作コストの低い簡易マスクを提供する。
【課題を解決するための手段】
【０００７】そして、本発明は上記目的を達成するために、簡易マスクの使用場所を顔面から口内へと移し、フィルタを通し気体ろ過をしながら通常の呼吸が行える構造形成としたものである。
【０００８】上記の課題解決手段による作用は次の通りである。
マスク本体を口内に装着することで、使用者の上唇や舌、又は下唇の人為的な操作により、マスク本体との接触部分の隙間を塞ぐことができるようになるため、密着性を確保すると共に気体ろ過能力を高める事ができる。またフィルタの湿りによる、ろ過能力の低下を防止すると共に使用者の外観を損なうことなく使用できる。
【発明を実施するための最良の形態】
【０００９】以下、本発明の実施の形態として一実施例を図１〜図４に基づいて説明する。【００１０】図において１はドーム型の簡易マスク本体で、呼吸口２と吸排口３までの間はフィルタ室４の空間により通気する。【００１１】５は、ろ過フィルタで、フィルタ室４の空間内にストッパー６に支持され収まる。【００１２】以下、上記構成の動作を説明する。使用者の口内において呼吸による吸圧で、外気は吸排口３から取り込まれ、フィルタ室４内のフィルタ５を通過するが、このとき簡易マスク本体１は、使用者の上唇と舌、または舌唇の人為的な操作により完全に隙間をなくすことができるため、外気はフィルタ室４に設置されたフィルタ５を確実に通過し、ろ過清浄された外気を、呼吸口２から吸気することができる。または吐く息は使用者の鼻または、吸排口３の下部より排気することができるため、吐く息によるフィルタの湿りを防止しフィルタ５の持つ、ろ過能力を保つことができる。
また、使用者の外観を損ねることなく使用することができる。
【発明の効果】
【００１３】上述べしたように、本発明の簡易マスクは、マスク本体と接触部の隙間をなくすと共に、吐く息によるフィルタの湿りを防止することができ、且つ使用者の外観を損ねることなく使用することができ、密着性の高い簡易マスクを提供できる。
【００１４】またフィルタが取替えられ、且つ掃除が簡単なため、衛生的に扱いやすくなるという効果を発揮するものである。
【００１５】吐く息に関しても、フィルタを確実に通過させ清浄しながら排気することのできる簡易マスクを提供できる。
【図面の簡単な説明】
【図１】本発明の一実施例を示す簡易マスクの斜め側面上部から見た外観及び、フィルタ室の透視図
【図２】同簡易マスクの図１におけるＡ−Ａ線断面図
【図３】同簡易マスクの後方から見た外観図
【図４】フィルタの外観図
【図５】従来の難易マスクの側面から見た外観図
【符号の説明】
簡易マスク本体  １
フィルタ室  ２
ストッパー  ６
【図１】
2009106710.tif 000003
【図２】
2009106710.tif 000004
【図３】
2009106710.tif 000005
【図４】
2009106710.tif 000006
【図５】
2009106710.tif 000007
(57)【要約】【課題】  主として茎の細い花を一輪挿しする場合、茎の太さに応じて確実に姿勢を維持しながら、且つ茎を傷めることなく活けることができるようにすることにある。【解決手段】  合成樹脂製の剣山１は、ベース体２に多数のピン３を立設し、且つ各ピン３同士の間隔を、広く或いは狭く、無秩序に形成した構成であり、各ピン３同士の間隔が広い箇所には比較的太い茎を差し込むことができ、各ピン３同士の間隔が狭い箇所には比較的細い茎を差し込んだり、薄い葉を挟持させることができる。【選択図】        図１
2009106570.tif 000002
【特許請求の範囲】
【請求項１】
ベース体（２）に多数のピン（３）を立設し、且つ各ピン（３）同士の間隔を、広く或いは狭く、無秩序に形成したことを特徴とする剣山。
【発明の詳細な説明】
【技術分野】
【０００１】
本発明は、主として一輪挿しに使用する剣山に関する。
【背景技術】
【０００２】
花を活ける最も簡易な手段は花瓶に挿すことであるが、更に装飾性を追求して、花を剣山に刺し、所定の花器に入れる活け花が古来より行われている。
【０００３】
例えば「剣山」として以下の如き発明の提案がある。
【特許文献１】特開２０００−１３９６５２号公報
【発明の開示】
【発明が解決しようとする課題】
【０００４】
上記文献１は、台座に複数の針を立設すると共に、針の間の台座部分に貫通孔を多数穿設した構成であり、花を活ける際には、茎を針に突き刺し、また、添え枝や細くて針に突き刺すことができない茎を貫通孔に挿すことができるとしている。
【０００５】
しかしながら、特に一輪挿しの如く、一・二本の花を挿す場合、茎に針が突き刺さりにくく、倒れたり茎を痛めたりすることがある。茎が細い場合は尚更である。上記文献１の発明はこのような点に配慮し、細い茎を貫通孔に挿して活けようとするものであるが、多数の針の間にある貫通孔に思い通りに茎を差し込むのは極めて困難である。多数の針によって、台座に穿設された貫通孔が見えにくいからである。また、茎の太さは花によって一定ではない。従って、貫通孔の口径と茎の太さが一致していないと、口径が大きい場合は倒れ易く、口径が小さい場合は茎が入らず或いは茎を傷めたりする虞れもある。
【０００６】
よって本発明は、上述した従来技術の欠点、不都合、不満を解消するべく開発された剣山であって、主として茎の細い花を一輪挿しする場合、茎の太さに応じて確実に姿勢を維持しながら、且つ茎を傷めることなく活けることができるようにすることにある。
【課題を解決するための手段】
【０００７】
上記課題を解決するため、本発明の剣山は、ベース体に多数のピンを立設し、且つ各ピン同士の間隔を、広く或いは狭く、無秩序に形成したことを特徴とする構成である。
【発明の効果】
【０００８】
従って本発明では、比較的太い茎を挿す場合には、各ピン同士の間隔が広い部分を選択し、当該部分の複数本の各ピン同士間に挟持させ、また比較的細い茎を挿す場合には、各ピン同士の間隔が狭い部分を選択し、当該部分の複数本の各ピン同士間に挟持させるのである。
【０００９】
茎はその中心部分に針が刺されることはないので傷まず、複数本のピンによって挟持されているので、活かされた姿勢を充分に保つことができる。
【００１０】
即ち本発明は、茎の細い花を傷めることなく、茎の細さに応じて差し込むことができ、しかも活けた姿勢を維持できる等、多くの優れた作用効果を奏する。
【発明を実施するための最良の形態】
【００１１】
本発明の剣山１は合成樹脂製であって、略円盤形状のベース体２に多数のピン３を立設し、且つ各ピン３同士の間隔を、広く或いは狭く、無秩序に形成した構成であり、ベース体２の中心には嵌入孔４が開設されてある。この剣山１は、従来の活け花用の盆形状となった花器に入れても良いが、図１、２の実施例では所定の容器５に嵌込む形態としている。
【００１２】
即ち容器５は合成樹脂または硝子で成形されるブロック体６に、前記したベース体２の直径よりも若干大きい口径の穴部７を開設すると共に、この穴部７の中心に嵌入突起８を設けた構成であり、この容器５の穴部７に剣山１を嵌め込み、嵌入突起８を嵌入孔４に嵌入して固定するのである。
【実施例１】
【００１３】
図５にあって、中心部の六本のピン３でピン群３ａを形成し、この間に比較的太い茎を差し込むことができるようにしたものである。通常、太い茎は全体的に長かったり重いことが多いが、ここでは六本による挟持であるので安定して支えることができる。
【実施例２】
【００１４】
或いは四本のピン３でピン群３ｂを形成したり、三本のピン３でピン群３ｃを形成することも可能であるのみならず、菖蒲の葉のように薄い葉、茎を各ピン３で挟持させることもできる。
【図面の簡単な説明】
【００１５】
【図１】本発明にかかる剣山を容器に収納した状態の斜視図である。
【図２】剣山と容器の斜視図である。
【図３】剣山を容器に収納した状態の平面図である。
【図４】平面図に於けるＡ−Ａ線断面図である。
【図５】剣山の平面図である。
【図６】花を活けた状態を示す斜視図である。
【符号の説明】
【００１６】
１    剣山
２    ベース体
３    ピン
４    嵌入孔
５    容器
６    ブロック体
７    穴部
８    嵌入突起
【図１】
2009106570.tif 000003
【図２】
2009106570.tif 000004
【図３】
2009106570.tif 000005
【図４】
2009106570.tif 000006
【図５】
2009106570.tif 000007
【図６】
2009106570.tif 000008